(57)【要約】【課題】簡単な構造で、簡単な操作によりワンタッチで解体し、平坦にすることができ、廃棄処理や資源回収のための搬送や保管を容易に行うことができる易廃棄機能付包装用箱を提供する。【解決手段】連接方向の端部に位置する１枚の側面１４のフラップ３２との境界線に開封用破断線３４を有する。互いに隣接する２枚の側面１８，２０のフラップ４０，５０との境界線の一方に第１廃棄用破断線４２を備え、他方に第２廃棄用破断線５２を備える。側面１８のフラップ４０との境界線には、第１廃棄用破断線４２を有し、その途中に半円弧状廃棄用破断線４２ａで囲まれた押込部４６を備える。第２廃棄用破断線５２の第１廃棄用破断線４２に近い部分に、フラップ５０側に形成されて約四分の１の形状に膨出する１／４円弧状廃棄用破断線５２ａを備える。【選択図】図１
2015137101.tif 000002
【特許請求の範囲】
【請求項１】
一枚のブランクシートから一体的に打ち抜かれた箱体形成片から成り、この箱体形成片は互いに連接された４枚の側面と、前記側面が筒状に組み立てられた時に互いに糊付けされて前記筒の端部を閉鎖する端面を形成するフラップが各々設けられ、連接方向の端部に位置する１枚の前記側面の前記フラップとの境界線に開封用破断線が設けられ、その他の３枚の前記側面のうち、互いに隣接する２枚の側面の前記フラップとの境界線の一方に第１廃棄用破断線が設けられ他方に第２廃棄用破断線が設けられ、残りの１枚の前記側面の前記フラップとの境界線には折罫線が設けられ、前記第１廃棄用破断線の途中には開封用の押込部が設けられ、組立状態で、前記端面は、１辺が前記折罫線で前記側面に連結され、１辺が前記開封用破断線で前記側面と区切られ、残りの２辺が前記第１廃棄用破断線と前記第２廃棄用破断線で前記側面と区切られ、前記易廃棄機能付包装用箱を使用する時に前記開封用破断線を切断して開封し、使用後には前記押込部を押して前記第１廃棄用破断線と前記第２廃棄用破断線を切断して、前記端面は前記折罫線のみで前記側面に片持ち状態で連続し、前記端面による形状保持機能が解除され、平坦に展開可能となることを特徴とする易廃棄機能付包装用箱。
【請求項２】
前記第１廃棄用破断線は、中心部分が前記側面側に半円の円弧状に膨出する半円弧状廃棄用破断線と、その他の部分の直線状の直線状廃棄用破断線が設けられ、前記半円弧状廃棄用破断線の内側には、前記直線状廃棄用破断線の延長線上に位置する折罫線が設けられ、前記半円弧状廃棄用破断線と前記折罫線で囲まれた部分は、開封用の前記押込部であり、前記第２廃棄用破断線は、前記第１廃棄用破断線に近い部分に、前記フラップ側に前記側面どうしの境界線の端部付近を中心とする仮想円の約四分の１の形状に膨出する１／４円弧状廃棄用破断線と、その他の部分の直線状の直線状廃棄用破断線が設けられ、前記１／４円弧状廃棄用破断線の内側には、前記直線状廃棄用破断線の延長線上に位置する折罫線が設けられ、前記１／４円弧状廃棄用破断線の前記直線状廃棄用破断線と反対側の端部は前記フラップの側縁部に達し、組立状態で、前記１／４円弧状廃棄用破断線の端部は前記第１廃棄用破断線の前記半円弧状廃棄用破断線の端部に一致するものであり、前記易廃棄機能付包装用箱の使用後に、前記押込部を押して前記第１廃棄用破断線の一部である前記半円弧状廃棄用破断線が切断され、それに連続して前記１／４円弧状廃棄用破断線が切断されて前記第２廃棄用破断線の切断が開始される請求項１記載の易廃棄機能付包装用箱。
【請求項３】
前記連接された４枚の側面は、連接方向の端部に位置する側面の側縁部に、組立状態で連接方向の反対側に位置する前記側面に糊付けされる糊付片が設けられ、前記糊付片が設けられている前記側面から順に、前記フラップとの間に、前記開封用破断線、前記折罫線、前記第１廃棄用破断線、前記第２廃棄用破断線が設けられ、前記フラップは、前記折罫線と前記第２廃棄用破断線に隣接するものが内側に位置する内フラップであり、その他の前記開封用破断線と前記第１廃棄用破断線に隣接するものが、前記内フラップの外側に貼り付けられる外フラップである請求項１記載の易廃棄機能付包装用箱。
【発明の詳細な説明】
【技術分野】
【０００１】
この発明は、廃棄用の切込線が設けられている易廃棄機能付包装用箱に関する。
【背景技術】
【０００２】
従来、商品を収納する包装用箱に、使用が終わった時に折り畳んで破棄するための切込線が設けられた易廃棄機能付包装用箱がある。例えば、特許文献１の包装容器は、矩形状の底面を有する紙製で箱形の包装容器であり、底面に、一方の対角線上に設けられた第一破断線と、他方の対角線を構成する一対の角部から、約４５°の角度で第一破断線まで各々延長された一対の第二破断線が設けられている。第一破断線の中央部分には中央カット線が設けられている。この包装容器は、使用後に、底面の第一破断線の中央カット線分を押し込むことで、容易に第一破断線に沿って対角線上に切り開くことができ、さらに底面を一層押し込むことで、切り口を拡大すると共に、第二破断線に沿って谷折り或いは山折りして、包装容器を折り畳み、体積を縮小し、廃棄しやすくすることができる。
【０００３】
また、特許文献２の仕切付き包装箱は、底面の一辺と、この辺に連続する側面との間に、ミシン線状の易破断線が設けられている。易破断線の中心部分は、側面側に半円状に突出して内側の部分は押破部となる。この包装箱を解体する時、押破部を指先で押し込み、易破断線を破断する。次いで、この押し破った押破部に指先を掛けて底壁を下方に押圧して押破部の両側の直線の易破断線を引き裂くように破断する。これにより側面と底壁が分離し、筒状に連続する側面の両端が開口し、側面に横側から力を加えるとコンパクトな扁平状態に折り畳まれるものである。
【０００４】
また、特許文献３の易廃棄性紙容器は、ティッシュペーパー取り出し口を有する天板と、天板に対して平行な底板と、天板と底板の間に位置する２枚の側板が設けられ、天板、底板、２枚の側板の両端部には、各々端フラップが設けられ、端フラップどうしが糊付けされて容器の端部を閉鎖している。２枚の側面の、端フラップとの境界線に各々ミシン目線が設けられ、底板の両端部には、この紙容器の組み立て状態で２枚の側面のミシン目線に連続し底板の中央に向かって円弧を描いて膨出するミシン目線が設けられている。この紙容器を解体する時は、底板の両端部を押して底板に設けられた一対のミシン目線を各々円弧状に切断し、さらに切断された部分に指を入れて左右に広げると、端フラップがミシン目線で切断されて、各側面から分離される。これより、各端フラップは、天板のみに連続して片持ち状態となり、両端部が開口し、側面に力を加えるとコンパクトな扁平状態に折り畳まれるものである。
【先行技術文献】
【特許文献】
【０００５】
【特許文献１】実登３１７４２５４号公報
【特許文献２】特開平９−１９３９２５号公報
【特許文献３】特開平５−３２２５２号公報
【発明の概要】
【発明が解決しようとする課題】
【０００６】
上記特許文献１の場合、箱体の底部を切断して箱体の形状保持機能を解除して、筒状の４枚の側面を折り畳むものであり、箱体を形成する紙製のシートの弾性力で折れ目が元に戻る方向に力が働き、厚みが生じるものであり、コンパクトに重ねて廃棄することができないものである。また、特許文献２、特許文献３の場合、底壁または一対の端フラップの一側面を残して周囲を切断して箱体の形状保持機能を解除して、筒状の４枚の側面を折り畳むものであり、特許文献１と同様に箱体を形成する紙製のシートを弾性力で折れ目が元に戻る方向に力が働き、コンパクトに重ねて廃棄することができないものである。
【０００７】
この発明は、上記背景技術の問題点に鑑みてなされたものであり、簡単な構造で、簡単な操作によりワンタッチで解体し、平坦にすることができ、廃棄処理や資源回収のための搬送や保管を容易に行うことができる易廃棄機能付包装用箱を提供することを目的とする。
【課題を解決するための手段】
【０００８】
本発明は、一枚のブランクシートから一体的に打ち抜かれた箱体形成片から成り、この箱体形成片は互いに連接された４枚の側面と、前記各側面の連接方向に交差する端部に設けられ前記側面が筒状に組み立てられた時に互いに糊付けされて前記筒の端部を閉鎖する端面を形成するフラップが各々設けられ、連接方向の端部に位置する１枚の前記側面の前記フラップとの境界線に開封用破断線が設けられ、その他の３枚の前記側面のうち、互いに隣接する２枚の側面の前記フラップとの境界線の一方に第１廃棄用破断線が設けられ他方に第２廃棄用破断線が設けられ、残りの１枚の前記側面の前記フラップとの境界線には折罫線が設けられ、前記第１廃棄用破断線の途中には開封用の押込部が設けられている易廃棄機能付包装用箱である。この易廃棄機能付包装用箱を組み立てた状態で、前記端面は、１辺が前記折罫線で前記側面に連結され、１辺が前記開封用破断線で前記側面と区切られ、残りの２辺が前記第１廃棄用破断線と前記第２廃棄用破断線で前記側面と区切られている。前記易廃棄機能付包装用箱を使用する時に前記開封用破断線を切断して開封し、使用後には前記押込部を押して前記第１廃棄用破断線と前記第２廃棄用破断線を切断して、前記端面は前記折罫線のみで前記側面に片持ち状態で連続し、前記端面による形状保持機能が解除され、前記側面どうしの互いの角度がなくなり、平坦に展開した状態となる。
【０００９】
また、前記第１廃棄用破断線は、中心部分が前記側面側に半円の円弧状に膨出する半円弧状廃棄用破断線と、その他の部分の直線状の直線状廃棄用破断線が設けられ、前記半円弧状廃棄用破断線の内側には、前記直線状廃棄用破断線の延長線上に位置する折罫線が設けられ、前記半円弧状廃棄用破断線と前記折罫線で囲まれた部分は、開封用の前記押込部である。前記第２廃棄用破断線は、前記第１廃棄用破断線に近い部分に、前記フラップ側に前記側面どうしの境界線の端部付近を中心とする仮想円の約四分の１の形状に膨出する１／４円弧状廃棄用破断線と、その他の部分の直線状の直線状廃棄用破断線が設けられ、前記１／４円弧状廃棄用破断線の内側には、前記直線状廃棄用破断線の延長線上に位置する折罫線が設けられ、前記１／４円弧状廃棄用破断線の前記直線状廃棄用破断線と反対側の端部は前記フラップの側縁部に達し、前記易廃棄機能付包装用箱を組み立てた状態で、前記１／４円弧状廃棄用破断線の端部は前記第１廃棄用破断線の前記半円弧状廃棄用破断線の端部に一致するものである。さらに、前記易廃棄機能付包装用箱の使用後に、前記押込部を押して前記第１廃棄用破断線の一部である前記半円弧状廃棄用破断線が切断され、それに連続して前記１／４円弧状廃棄用破断線が切断されて前記第２廃棄用破断線の切断が開始される。なお、前記第２廃棄用破断線の前記１／４円弧状廃棄用破断線は、前記端部が前記第１廃棄用破断線の前記半円弧状廃棄用破断線の端部に一致するものであればよく、直線や、大きい半径の円弧に沿う曲線等でもよい。
【００１０】
前記連接された４枚の側面は連接方向の端部に位置する側面の側縁部に前記易廃棄機能付包装用箱の組立状態で連接方向の反対側に位置する前記側面に糊付けされる糊付片が設けられ、前記糊付片が設けられている前記側面から順に、前記フラップとの間に、前記開封用破断線、前記折罫線、前記第１廃棄用破断線、前記第２廃棄用破断線が設けられ、前記フラップは、前記折罫線と前記第２廃棄用破断線に隣接するものが内側に位置する内フラップであり、その他の前記開封用破断線と前記第１廃棄用破断線４２に隣接するものが、前記内フラップの外側に貼り付けられる外フラップである。
【発明の効果】
【００１１】
本発明の易廃棄機能付包装用箱は、使用後に押込部を指で押して指を箱体の内側に差し込み、押込部に連続する端面を広げるだけの簡単な操作により、一対の廃棄用破断線を切断して展開した状態にワンタッチで解体し、弱い力でも短時間できれいに平坦にすることができる。これにより廃棄処理や資源回収のための搬送や保管を容易に行うことができる。解体の際にパーツが分離することがなく、ゴミが増えることがなく後始末が簡単で、全部を資源回収に出して効率よくリサイクルすることができる。
【図面の簡単な説明】
【００１２】
【図１】この発明の一実施形態の易廃棄機能付包装用箱の斜視図である。
【図２】この実施形態の易廃棄機能付包装用箱の展開図である。
【図３】この実施形態の包装用箱の解体する工程を示す斜視図である。
【図４】この実施形態の包装用箱を解体した状態を示す展開図である。
【発明を実施するための形態】
【００１３】
以下、この発明の実施形態について図面に基づいて説明する。図１〜図４はこの発明の一実施形態を示すもので、この実施形態の易廃棄機能付包装用箱１０は、紙製の一枚のブランクシートを打ち抜いて形成された箱体形成片１２を組み立てて設けられている。図２は箱体形成片１２を表面から見た展開図であり、箱体形成片１２は、側面１４，１６，１８，２０が、互いに平行に連接して形成されている。側面１４，１６，１８，２０は連接している幅方向はほぼ同じ長さであり、連接方向の長さは側面１６，２０が長くて互いにほぼ等しく、側面１４，１８はそれよりも少し短くて互いにほぼ等しい。さらに、側面１４の側縁部には、易廃棄機能付包装用箱１０の組立状態で側面２０の裏面に糊付けされる糊付片２２が設けられている。糊付片２２、側面１４，１６，１８，２０は、各々折罫線２４，２６，２８，３０で区切られて設けられている。折罫線２４には、折り曲げやすいように破断線が設けられている。
【００１４】
側面１４の、側面どうしの連接方向に対して直角な方向の両端部には、矩形の外フラップ３２が開封用破断線３４で区切られて各々設けられている。外フラップ３２は、側面１４，１６，１８，２０を易廃棄機能付包装用箱１０として筒状に組み立てた時に端部の開口の約半分を閉鎖するものであり、開封用破断線３４から開封用破断線３４に対して平行な先端部３２ａまでの長さは、側面１６の折罫線２６から折罫線２８までの長さの半分よりわずかに短く形成されている。
【００１５】
側面１６の、側面１４の開封用破断線３４に隣接する両端部には、矩形の内フラップ３６が折罫線３８で区切られて各々設けられている。内フラップ３６は、側面１４，１６，１８，２０を易廃棄機能付包装用箱１０として筒状に組み立てた時に端部の開口の約半分を所定の間隔を開けて閉鎖するものであり、折罫線３８から折罫線３８に対して平行な先端部３６ａまでの長さは、側面１４の折罫線２４から折罫線２６までの長さの半分よりも所定の間隔の約半分程度が短く形成されている。
【００１６】
側面１８の、側面１６の折罫線３８に隣接する両端部には、外フラップ３２とほぼ同形状の外フラップ４０が第１廃棄用破断線４２で区切られて各々設けられ、第１廃棄用破断線４２から第１廃棄用破断線４２に対して平行な先端部４０ａまでの長さは、外フラップ３２の開封用破断線３４から先端部３２ａまでの長さと同じである。第１廃棄用破断線４２は、中心部分が側面１８側に半円の円弧状に膨出する半円弧状廃棄用破断線４２ａが設けられ、その他の部分は直線状廃棄用破断線４２ｂである。半円弧状廃棄用破断線４２ａの内側には、直線状廃棄用破断線４２ｂの延長線上に位置する折罫線４４が設けられている。半円弧状廃棄用破断線４２ａと折罫線４４で囲まれた部分は、開封用の押込部４６である。折罫線４４の中心部分には、折り曲げやすいようにカット線が設けられている。
【００１７】
側面２０の、側面１８の第１廃棄用破断線４２に隣接する両端部には、内フラップ３６とほぼ同形状の内フラップ５０が第２廃棄用破断線５２で区切られて設けられている。第２廃棄用破断線５２は、折罫線３０に近い部分が、内フラップ５０の第２廃棄用破断線５２に対して平行な先端部５０ａ側に膨出する１／４円弧状廃棄用破断線５２ａが設けられ、その他の部分は直線状廃棄用破断線５２ｂである。１／４円弧状廃棄用破断線５２ａは、折罫線３０の端部付近を中心とする仮想円の約四分の１の形状であり、１／４円弧状廃棄用破断線５２ａの端部は、内フラップ５０の、折罫線３０の延長線上となる側縁部５０ｂに達している。１／４円弧状廃棄用破断線５２ａの内側には、直線状廃棄用破断線５２ｂの延長線上に位置する折罫線５４が設けられている。１／４円弧状廃棄用破断線５２ａの、側縁部５０ｂに達する位置は、易廃棄機能付包装用箱１０の組立状態で第１廃棄用破断線４２の半円弧状廃棄用破断線４２ａの端部に一致するところである。側面２０の側縁部２０ａの中心には、側面２０の内側に円弧状にくぼむように設けられた開蓋用破断線５５で囲まれた糊付部５６が設けられている。
【００１８】
次に、この実施形態の易廃棄機能付包装用箱１０の組立方法の一例について説明する。なお、ここでは図２に示す箱体形成片１２の表面が凸になる折り方を正折り、そして裏面が凸になる折り方を逆折りと称する。
【００１９】
まず、箱体形成片１２の裏面が上方となるように置き、糊付片２２の表面の所定位置に糊６０を塗布し、側面１８の裏面に商品を置き、折罫線２４，２６，２８，３０を各々９０度に正折りして、製品を四角筒状に包む。この時、糊付片２２の外側に側面２０が重なるようにして、糊６０で側面２０の糊付部５６の内側に糊付けする。次に、外フラップ３２，４０の表面に糊５８を塗布する。糊５８は、外フラップ３２の先端部３２ａと、外フラップ４０の先端部４０ａに沿って塗付され、中心付近は糊５８を塗らない塗残部６２が設けられ糊５８は分割されて塗付されている。そして、折罫線３８と、第２廃棄用破断線５２の直線状廃棄用破断線５２ｂを９０°に正折りして、側面１６，２０に対して内フラップ３６，５０をほぼ直角にする。次に開封用破断線３４と、第１廃棄用破断線４２の直線状廃棄用破断線４２ｂを９０°に正折りし、側面１４，１８に対して外フラップ３２，４０をほぼ直角にし、これにより、外フラップ３２，４０の裏面が糊５８により内フラップ３６，５０の表面に糊付けされ、易廃棄機能付包装用箱１０の端面６４が形成され、側面１４，１６，１８，２０が筒状に組み立てられ、筒の端部を端面６４が閉鎖する。内フラップ３６の先端部３６ａと、内フラップ５０の先端部５０ａの間は離れているが、糊５８の中心には塗残部６２があるため、糊５８が露出することがない。なお、箱体形成片１２を組み立てる順番はこれ以外でもよく、適宜変更可能である。自動包装装置で組立を行ってもよい。
【００２０】
次に、この実施形態の易廃棄機能付包装用箱１０の使用方法について説明する。まず、中の商品を取り出すときは、側面２０の糊付部５６を押して開蓋用破断線５５を切断し、指を入れて裏面に重ねられて糊付けされている糊付片２２とともに側面１４を上方に引き上げ、一対の開封用破断線３４を切断して開口し、側面１４が開いて形成された開口部から商品を取り出す。
【００２１】
易廃棄機能付包装用箱１０を使用した後は、図３に示すように側面１８の一対の押込部４６を両手の指で押し込む。押込部４６を押し込むと、まず押込部４６の周囲の半円弧状廃棄用破断線４２ａが切断され折罫線４４で押込部４６が折り曲げられて指が易廃棄機能付包装用箱１０の内側に入り、さらに端面６４を互いに離れるように広げると、直線状廃棄用破断線４２ｂが切断され、側面１８と外フラップ４０が分離する。また、外フラップ４０の裏面に糊付けされている内フラップ５０は、１／４円弧状廃棄用破断線５２ａが半円弧状廃棄用破断線４２ａの端部に連続しているため、端面６４を互いに離れるように広げるときに１／４円弧状廃棄用破断線５２ａが連続して切断され、次いで直線状廃棄用破断線５２ｂが切断され、側面２０から内フラップ５０が分離する。これにより、側面１６，１８，２０をコの字形に形成していた端面６４が、図４に示すように側面１６の端部に片持ち状態で連続するのみとなり、形状保持機能が解除され、互いの角度がなくなり、平坦に展開した状態となる。
【００２２】
この実施形態の易廃棄機能付包装用箱１０によれば、使用後は簡単な操作で展開した状態に解体し、弱い力でも短時間できれいに平坦にすることができる。これにより、廃棄処分や資源回収のための搬送や保管を容易に行うことができる。押込部４６を指で押して指を易廃棄機能付包装用箱１０の内側に差し込み、端面６４を広げるだけの簡単な操作により、第１廃棄用破断線４２と第２廃棄用破断線５２を連続して切断して、展開した状態にワンタッチで解体し、弱い力でも短時間できれいに平坦にすることができる。解体の際にパーツが分離することがなく、ゴミが増えることがないので、後始末が簡単で、全部を資源回収に出して効率よくリサイクルすることができる。第１廃棄用破断線４２、第２廃棄用破断線５２は、側面１８、側面２０の端部に設けられ、商品を支える各側面の中央部分を避けて設けられているため、商品の重量によって各側面が撓むことがなく、輸送時に箱体が変形することがなく形状を維持することができる。また、各側面の中央部分に各廃棄用破断線がないことから、体裁を損なわず外観が良好である。
【００２３】
なお、この発明は上記実施形態に限定されるものではなく、箱体形成片の糊付片や各フラップの形状や配置等は自由に変更可能である。外フラップと内フラップの位置は逆でもよく、２枚の内フラップまたは２枚の外フラップのうち、廃棄用破断線がどちらに設けられていてもよい。各破断線は、ジッパー線やミシン線等、自由に選択可能であり、例えばブランクシートが厚い時はジッパー線の方が切断しやすく、適している。第２廃棄用破断線の１／４円弧状廃棄用破断線の形状は、上記以外に、直線や大きい半径の円の周縁部に沿う円弧等、自由に変更可能であり、端部が、第１廃棄用破断線の半円弧状廃棄用破断線の端部と一致するものであればよい。
【符号の説明】
【００２４】
１０  易廃棄機能付包装用箱
１２  箱体形成片
１４，１６，１８，２０  側面
２２  糊付片
３２，４０  外フラップ
３４  開封用破断線
３６，５０  内フラップ
３８，４４，５４  折罫線
４２  第１廃棄用破断線
４２ａ  半円弧状廃棄用破断線
４２ｂ  直線状廃棄用破断線
４６  押込部
５２  第２廃棄用破断線
５２ａ  １／４円弧状廃棄用破断線
５２ｂ  直線状廃棄用破断線
５５  開蓋用破断線
【図１】
2015137101.tif 000003
【図２】
2015137101.tif 000004
【図３】
2015137101.tif 000005
【図４】
2015137101.tif 000006